(57)【要約】【課題】BD、フラッシュメモリといったリムーバブルメディアを用いた携帯機器にＨＤＤを有した映像記録再生装置において、ＨＤＤに記録したデータをこれらリムーバブルメディアに対して、或いはその逆方向へのデータのコピーやムーブ（移動）によりデータを取り外して保管、あるいはデータの蓄積が可能であるが、外的要因によるHDD、DVDドライブ、BDドライブといった記録媒体への振動などは加わった場合、データのコピーやムーブが失敗するという問題が生じ得る。【解決手段】  携帯可能な電源と、挿抜可能な記録媒体及び内蔵された記録媒体に情報を記録する記録手段と、挿抜可能な記録媒体と内蔵された記録媒体間のデータのコピー又は移動を行うダビング処理手段と、加速度を検出する検出手段とを有し、検出手段にて加速度が所定の数値を有していると判断したとき、記録媒体間でのダビング処理手段の動作を実施することを特徴とする。【選択図】  図２
2009151860.tif 000002
【特許請求の範囲】
【請求項１】
情報を記録または再生する情報記録再生装置であって、
映像情報を撮影する撮像手段と、
第一の記録媒体に前記映像情報を記録または前記第一の記録媒体から前記映像情報を再生する第一の記録再生部と、
前記第一の記録媒体とは異なる第二の記録媒体に前記映像情報を記録または前記第二の記録媒体から前記映像情報を再生する第二の記録再生部と、
前記情報記録再生装置に加わる加速度を検出する加速度検出部と、
携帯可能な電源とを有し、
前記電源が所定の残量を有し、前記加速度検出部で検出された加速度が所定の閾値未満である場合に、前記第一の記録部から前記第二の記録部へのダビング動作が許可されることを特徴とする情報記録再生装置。
【請求項２】
情報を記録または再生する情報記録再生装置であって、
映像情報を撮影する撮像手段と、
第一の記録媒体に前記映像情報を記録または前記第一の記録媒体から前記映像情報を再生する第一の記録再生部と、
前記第一の記録媒体とは異なる第二の記録媒体に前記映像情報を記録または前記第二の記録媒体から前記映像情報を再生する第二の記録再生部と、
前記情報記録再生装置に加わる加速度を検出する加速度検出部と、
外部から電源を供給可能な外部電源入力端子とを有し、
前記外部電源入力端子から電源が供給され、前記加速度検出部で検出された加速度が所定の閾値未満である場合に、前記第一の記録部から前記第二の記録部へのダビング動作が許可されることを特徴とする情報記録再生装置。
【請求項３】
請求項２記載の情報記録再生装置であって、
携帯可能な電源を有し、
前記外部電源入力端子から電源が供給されていない場合であっても、
前記電源が所定の残量を有し、前記加速度検出部で検出された加速度が所定の閾値未満である場合に、前記第一の記録部から前記第二の記録部へのダビング動作が許可されることを特徴とする情報記録再生装置。
【請求項４】
請求項１または３いずれか一項記載の情報記録再生装置であって、
前記電源の残量によって、前記閾値及び前記ダビング動作の速度が変化することを特徴とする情報記録再生装置。
【請求項５】
請求項４記載の情報記録再生装置であって、
前記電源の残量がE1未満の場合は前記ダビング動作が禁止され、
前記電源の残量がE１以上E2未満（ここで、E1＜E2である）の場合、前記閾値は閾値Aであり、前記ダビング動作は速度V1で行われ、
前記電源の残量がE2以上の場合、前記閾値は前記第一の閾値より低い閾値Bであり、前記ダビング動作は前記速度V1より速い速度V2で行われることを特徴とする情報記録再生装置。
【請求項６】
請求項５記載の情報記録再生装置であって、
情報を表示する表示部を有し、
前記ダビング動作が禁止された場合、前記情報記録再生装置を外部電源へ接続することを促す情報が前記表示部に表示されることを特徴とする情報記録再生装置。
【請求項７】
請求項５記載の情報記録再生装置であって、
情報を表示する表示部を有し、
前記電源が所定の残量を有し、前記加速度検出部で検出された加速度が所定の閾値以上である場合は加速度の低下を促す情報が前記表示部に表示されることを特徴とする情報記録再生装置。
【請求項８】
情報を記録または再生する情報記録再生装置であって、
映像情報を撮影する撮像手段と、
第一の記録媒体に前記映像情報を記録または前記第一の記録媒体から前記映像情報を再生する第一の記録再生部と、
前記第一の記録媒体とは異なる第二の記録媒体に前記映像情報を記録または前記第二の記録媒体から前記映像情報を再生する第二の記録再生部と、
前記情報記録再生装置に加わる加速度を検出する加速度検出部とを有し、
前記加速度検出部で検出された加速度が所定の閾値未満である場合に、前記第一の記録部から前記第二の記録部へのダビング動作が許可され、
前記第二の記録媒体の種類によって、前記閾値及び前記ダビング動作の速度が変化することを特徴とする情報記録再生装置。
【請求項９】
請求項８記載の情報記録再生装置であって、
前記第二の記録媒体が書き換え可能な記録媒体である場合、前記閾値は閾値Aであり、前記ダビング動作は速度V1で行われ、
前記第二の記録媒体が書き換え不可能な記録媒体である場合、前記閾値は前記閾値Aより低い閾値Bであり、前記ダビング動作は前記速度V1より速い速度V2で行われることを特徴とする情報記録再生装置。
【請求項１０】
請求項８記載の情報記録再生装置であって、
前記第二の記録媒体がDVDである場合、前記閾値は閾値Aであり、前記ダビング動作は速度V1で行われ、
前記第二の記録媒体がBDである場合、前記閾値は前記閾値Aより低い閾値Bであり、前記ダビング動作は前記速度V1より速い速度V2で行われることを特徴とする情報記録再生装置。
【請求項１１】
映像情報を撮影する撮像手段と、
第一の記録媒体に前記映像情報を記録または前記第一の記録媒体から前記映像情報を再生する第一の記録再生部と、
前記第一の記録媒体とは異なる第二の記録媒体に前記映像情報を記録または前記第二の記録媒体から前記映像情報を再生する第二の記録再生部と、
携帯可能な電源とを有する情報記録再生装置が情報を記録または再生する情報記録再生方法であって、
前記電源の残量を検出するステップと、
前記情報記録再生装置に加わる加速度を検出するステップと、
前記電源が所定の残量を有し、前記加速度が所定の閾値未満である場合に、前記第一の記録部から前記第二の記録部へのダビング動作を許可するステップと、を有する情報記録再生方法。
【請求項１２】
映像情報を撮影する撮像手段と、
第一の記録媒体に前記映像情報を記録または前記第一の記録媒体から前記映像情報を再生する第一の記録再生部と、
前記第一の記録媒体とは異なる第二の記録媒体に前記映像情報を記録または前記第二の記録媒体から前記映像情報を再生する第二の記録再生部と、
外部から電源を供給可能な外部電源入力端子とを有する情報記録再生装置が情報を記録または再生する情報記録再生方法であって、
前記外部電源入力端子からの電源供給の有無を検出するステップと、
前記情報記録再生装置に加わる加速度を検出するステップと、
前記外部電源入力端子から電源が供給され、前記加速度が所定の閾値未満である場合に、前記第一の記録部から前記第二の記録部へのダビング動作を許可するステップと、を有する情報記録再生方法。
【請求項１３】
映像情報を撮影する撮像手段と、
第一の記録媒体に前記映像情報を記録または前記第一の記録媒体から前記映像情報を再生する第一の記録再生部と、
前記第一の記録媒体とは異なる第二の記録媒体に前記映像情報を記録または前記第二の記録媒体から前記映像情報を再生する第二の記録再生部とを有する情報記録再生装置が情報を記録または再生する情報記録再生方法であって、
前記情報記録再生装置に加わる加速度を検出するステップと、
前記第二の記録媒体の種類を検出するステップと、
前記加速度が所定の閾値未満である場合に、前記第一の記録部から前記第二の記録部へのダビング動作を許可するステップと、
前記第二の記録媒体の種類によって、前記閾値及び前記ダビング動作の速度を変化させるステップと、有する情報記録再生方法。
【発明の詳細な説明】
【技術分野】
【０００１】
本発明は、情報記録再生装置及び情報記録再生方法に関する。
【背景技術】
【０００２】
特許文献１には、「ディスクへのダビング処理中に、振動等により誤った情報の書き込み（記録）の為されることのないディスク記録再生装置を提供すること」について記載されている。
【０００３】
また、特許文献２には、「情報を多種類の記録媒体に記録するときに、たとえ何らかの原因で記録中断が生じてもその記録媒体の特長を生かし、信頼性良くデータを記録する情報記録技術を提供する」という課題に対して、「記録媒体の種類に応じて異常判定条件を変えるとともに、記録中断後の記録再開条件を変える」という解決手段を用いることが記載されている。
【０００４】
【特許文献１】特開平１１−３５３７８３  （要約参照）
【特許文献２】特開２００３−１８７４４９  （要約参照）
【発明の開示】
【発明が解決しようとする課題】
【０００５】
近年、映像の記録媒体としてＤＶＤ（Digital Versatile Disc）やBD(Bluray Disc)等の光ディスクをカメラに搭載したビデオカメラが登場し、ランダムアクセスによる記録したシーンの検索性の良さ、適宜未記録箇所に記録してくれることで上書防止できる等の使い勝手の良さで、市場に拡大してきている。
【０００６】
一方、小型ハードディスク（HDD）装置やフラッシュメモリ等の記録容量がアップしてきたことにより、これらハードディスクやフラッシュメモリを記録媒体としてカメラに搭載したビデオカメラも登場してきており、最近では例えば光ディスクとハードディスクといった複数の異なる記録媒体を搭載したビデオカメラも普及してきている。
【０００７】
このような、複数記録媒体を有するビデオカメラの利用方法のひとつとして、複数記録媒体間のデータのコピー（以下、ダビングと呼ぶ）やムーブ等が挙げられる。ビデオカメラは可搬型の装置であるため、このような可搬型装置でダビングをする際には手ぶれ等による振動の影響や、電源の有無や残量の多少を考慮する必要がある。また、最近では例えば光ディスクであっても書換可能/不可能といった種類や、DVDやBDといった種類が複数存在するため、ダビングをする際にこのような媒体種類も考慮する必要がある。
【０００８】
この点、前記特許文献１では振動等を考慮し、車速に応じてダビングを段階的に制御しているが、主に車載用の装置を対象としているため、基本的に電源は安定に供給されており、電源の状態を考慮してダビング制御を変化させることについては考慮されていない。
【０００９】
また、前記特許文献２も振動等を考慮しており、記録媒体に光ディスクを用いたビデオカメラにおいて、媒体の書換可能/不可能といった種類に応じて記録を中断させる条件を変えることについては記載されているが、特許文献２も電源の状態を考慮してダビング制御を異ならせることについては考慮されていない。
【００１０】
また、前記両文献とも、DVDやBDのような媒体の種類に応じてダビング制御を変化させる点についても考慮されていない。
【００１１】
そこで、このような状況に鑑み、本発明は使い勝手のよい情報記録再生装置及び情報記録再生方法を提供することを目的とする。
【課題を解決するための手段】
【００１２】
本発明では例えば以下の実施態様により前記課題を解決できるが、この実施態様に限られることはない。
【００１３】
本発明の一実施形態によれば、第一の記録再生部と、第二の記録再生部と、携帯可能な電源を有する情報記録再生装置であって、前記電源が所定の残量を有し、前記情報記録再生装置に加わる加速度が所定の閾値未満である場合に、前記第一の記録部から前記第二の記録部へのダビング動作が許可される情報記録再生装置を用いる。
【００１４】
また、本発明の他の一実施形態によれば、第一の記録再生部と、第二の記録再生部と、外部から電源を供給可能な外部電源入力端子を有する情報記録再生装置であって、前記外部電源入力端子から電源が供給され、前記情報記録再生装置に加わる加速度が所定の閾値未満である場合に、前記第一の記録部から前記第二の記録部へのダビング動作が許可される情報記録再生装置を用いる。
【００１５】
さらに、本発明の別の一実施形態によれば、第一の記録再生部と、第二の記録再生部を有する情報記録再生装置であって、前記情報記録再生装置に加わる加速度が所定の閾値未満である場合に、前記第一の記録部から前記第二の記録部へのダビング動作が許可され、前記第二の記録媒体の種類によって、前記閾値及び前記ダビング動作の速度が変化する情報記録再生装置を用いる。
【発明の効果】
【００１６】
本発明によれば、使い勝手のよい情報記録再生装置及び情報記録再生方法を提供することができる。
【発明を実施するための最良の形態】
【００１７】
以下、本発明の好適な実施例について図面を用いて説明する。
【００１８】
図１は情報記録再生装置１００の一例としてカメラの構成例を示すブロック図である。
【００１９】
１０１はレンズユニット、１０２は撮像センサ、１０３はカメラ信号処理部、１０４は圧縮伸張部、１０５は制御部、１０６は信号処理部、１０７は第一の記録再生部（一例としてハードディスクドライブ（HDD）とする）、１０８は第二の記録再生部（一例としてDVD、BD等の光ディスクドライブとする）、１０９は操作部、１１０は充電部、１１１はバッテリ、１１２は外部電源入力部、１１３は表示部（一例として、液晶ディスプレイ（Liquid Crystal Display, ＬＣＤ）とする）、１１４は外部入出力部、１１５は加速度検出部である。
【００２０】
まず、はじめに図１で示す情報記録再生装置の動作を説明する。レンズユニット１０１を介して被写体の画像を撮像センサ１０２でとらえ、撮像センサで捉えた画像は電気信号に変換され、カメラ信号処理部１０３で映像信号に変換される。
【００２１】
続いて上記映像信号は、制御部１０５によって制御された圧縮伸張部１０４にて、デジタル映像信号に変換される。また外部入出力部１１４に入力を切り換えることで、外部入力映像信号をデジタル映像信号に変換する事も可能である。
【００２２】
デジタル映像信号に変換された信号は信号処理部１０６によって上記ＤＶＤ、あるいは上記ＨＤＤといった内蔵ストレージに対して記録される。ここで記録メディアはＤＶＤ、内蔵ストレージをＨＤＤとしたが、記録メディアはＢＤ，ＨＤ−ＤＶＤなど、また内蔵ストレージはフラッシュメモリなどであっても構わない。
【００２３】
さらに操作部１０９を操作することで上記制御部を制御し、上記信号処理部によってＤＶＤに記録された映像信号の読出しを行い、ＨＤＤに対して記録を行う事でメディア間のダビング処理を行うことが可能である。また同様にＨＤＤに記録された映像信号に対して読出しを行い、ＤＶＤに対して記録を行う事も可能である。
【００２４】
またメディアあるいはストレージに記録された信号は、上記映像圧縮伸張部で映像信号に伸張し、上記入出力部に出力するとともに、表示部１１３に対して表示することが可能である。ただし、表示部は液晶ディスプレイには限られず、例えば有機ＥＬディスプレイであってもよい。
【００２５】
さらに電源部として外部電源入力部１１２を有し、ＡＣ電源等の外部からの電源供給を可能としている。またこの外部電源入力部から電源が供給されることで充電部１１０によりバッテリ１１１を充電することが可能である。これにより外部電源入力部より電源が供給されているときは、外部電源によって機器を動作させ、外部電源が供給されていないときは、バッテリからの電源供給によって機器を動作させる事が可能である。
【００２６】
制御部１０５によって、情報記録再生装置の主要な各部の制御に加え、例えばバッテリ残量の取得や、外部電源からの電源供給の切り替えが可能である。ただし、この機能を充電部１１０で達成してもよい。
【００２７】
さらに、加速度検出部１１５を有し、カメラの外部から加わる加速度を検出し、検出結果を制御部に出力することが可能であり、その検出結果に応じてHDD、DVD、BDといった記録媒体間のダビングを制御することが可能である。加速度の検出は、例えばジャイロスコープを用いる。ジャイロスコープでは、加速度が加わると慣性力が発生するので、この値を利用して加速度が検出できる。加速度を検出する際、他の方法を用いても構わない。また、加速度検出部は、レンズユニット、撮像センサ、カメラ信号処理部などに出力され、手ぶれ補正制御等に利用されている情報を用いても良い。
【００２８】
本発明の第一の実施例を、図２を用いて説明する。本装置で上記操作部を操作してダビング処理を行う場合、図２のように、まずステップ２０１によって加速度判定を行う。ここで加速度が所定の数値A未満でダビング処理可能な状態であると判定した場合には、ステップ２０２にてダビング処理を実行するが、加速度がA以上であり、ダビング処理を実行する状態として不適と判定された場合には、ステップ２０３のように加速度の低下を促す指示を表示する。
【００２９】
ここではHDDからDVDへのダビング処理（データのコピー）について説明するが、DVDからHDD、あるいはフラッシュメモリ、BD、HD-DVD間であっても同様であり、またムーブ処理（データの移動）であっても同様である。
【００３０】
また、ダビング処理を行う際、検出した加速度をLCDに表示し、ユーザに現時点で検出された加速度とダビング継続に必要な加速度を確認できるようにする。加速度は定量的に表記する他に、グラフといった図式によって表すことも可能である。これにより、ユーザ利便性を高めることができる。
【００３１】
次に、本発明の第二の実施例を、図３を用いて説明する。第一の実施例と同様に上記操作部を操作してダビング処理を行う場合、図３のように、まずステップ３０１によって加速度判定を行う。ここで加速度が所定の数値（ここではAとする）未満であった場合には高速（V1とする）でダビング処理を行い、所定の数値A以上であった場合にはステップ３０３によってさらに加速度判定を行う。ステップ３０３の判定で、加速度が所定の数値（ここではB（A<B）とする）未満であった場合には低速（V2とする）でダビング処理を行い、所定の数値B以上でありダビング処理を実行するのに数値が不十分と判定された場合には、ステップ３０５のように加速度の低下を促す指示を表示する。
【００３２】
本実施例によると、加速度判定の閾値を２つ設定することで、加速度がA未満であった場合と、A以上B未満であった場合それぞれで、ダビング処理の速度を変化させることが可能になる。これにより、例えば加速度がA未満の場合は通常ダビングとし、A以上B未満であるときはダビング処理速度を抑え、B以上であった場合はダビングを停止する事ができる。またA以上B未満の際、ダビング処理速度を抑えることによって、DVDの回転速度や光ピックアップの移動速度も抑えられる。これによりDVDへの読み書きの時のサーボ制御が安定し、読み書きの失敗を抑制できる。
【００３３】
次に、本発明の第三の実施例を、図４を用いて説明する。第一の実施例と同様に上記操作部を操作してダビング処理を行う場合、図４のように、まずステップ４０１によってバッテリ残量の判定を行う。ここでバッテリ残量が所定の値（E1とする）未満、すなわち残量少であり、ダビング処理を行うのに不十分であると判定した場合には、ステップ４０２のように外部電源接続を促す指示を表示する。
【００３４】
一方、バッテリ残量がE１以上E2未満（E2も所定の値であり、E1<E2とする）、すなわち残量中であって、ダビング処理を行えると判定した場合には、次にステップ４０３の加速度判定を行う。この際、加速度が所定の数値A未満である場合はステップ４０４のダビング処理を行い、A以上の場合はステップ４０５のように加速度の低下を促す指示を表示する。ここで、ダビングの速度は所定の速度V1とする（低速もしくは通常ダビングとする）。
【００３５】
また、バッテリ残量がE2以上、すなわち残量多であって、ダビング処理を行うのに十分であると判定した場合には、次にステップ４０６の加速度判定を行う。この際、加速度が所定の数値B（B<Aとする）未満である場合はステップ４０７のダビング処理を行い、B以上の場合はステップ４０８のように加速度の低下を促す指示を表示する。ここで、ダビングの速度はV1より速い所定の速度V2とする（高速ダビングとする）。
【００３６】
本実施例によると、加速度判定の前にバッテリ残量判定を行うことで、バッテリがダビング処理を行うのに不十分である場合にはダビング処理を行わないようにすることが可能である。
【００３７】
また、DVD等の光ディスクに情報をダビングする場合、高速でダビングするほどレーザの消費電力が増加する。これに対応すべく、本実施例では一例として、バッテリ残量中のときには低速もしくは通常ダビングとし、バッテリ残量多のときには高速ダビングとした。
【００３８】
さらに、ダビング中にカメラに振動が加わると情報の記録に失敗するおそれがあるが、単位時間あたりに記録される情報量を考慮すると、高速ダビング中の方が低速/通常ダビング中より記録失敗による情報の損失が大きい。そのため、本実施例では一例として、ダビングの可否を判断する閾値をB<Aとし、高速ダビングの場合は小さな振動でもダビングを控えるようにした。
【００３９】
次に、本発明の第四の実施例を、図5を用いて説明する。第一の実施例と同様に上記操作部を操作してダビング処理を行う場合、図5のように、まずステップ５０１によってAC電源等の外部電源接続の判定を行う。ここで外部電源に接続していないと判定された場合には、ステップ５０２によって加速度判定を行う。ステップ５０２の加速度判定によって加速度が所定の数値A未満である場合にはステップ５０４のダビング処理（速度V1とする）を行い、A以上である場合にはステップ５０３のように加速度の低下を促す指示を表示する。
【００４０】
一方、ステップ５０１の外部電源接続判定において外部電源に接続していると判定された場合には、ステップ５０５によって加速度判定を行う。ステップ５０５の加速度判定によって加速度が所定の数値B（B<Aとする）未満である場合にはステップ５０６のダビング処理（速度V2とする（V1<V2））を行い、B以上である場合にはステップ５０７のように加速度の低下を促す指示を表示する。
【００４１】
本実施例でも下記の理由から、第三の実施例同様、ダビング速度はV1<V2とし、加速度の閾値はB<Aとした。本実施例によると、外部電源接続の判定に依って、加速度判定時の閾値やダビング処理の速度を個別に設定することが可能であり、外部電源接続時はバッテリ残量を考慮せずにすむため、バッテリ接続時に比べてより高速ダビング処理を行うことが可能である。また、より高速にダビングを行う場合は、DVDへの読み書きの時のサーボ制御が加速度の影響をより受けやすい為、高速ダビングをする際の加速度判定閾値を低めに設定した。
【００４２】
次に、本発明の第五の実施例を、図６を用いて説明する。第一の実施例と同様に上記操作部を操作してダビング処理を行う場合、図６に示すように、ステップ６０１によって記録メディアの書き換え可否の判定を行う。ここで記録メディアが書き換え可であると判定された場合には、ステップ６０２によって加速度判定を行う。ステップ６０２の加速度判定によって加速度が所定の数値A未満である場合にはステップ６０４のダビング処理（速度V1とする）を行い、A以上である場合にはステップ７０３のように加速度の低下を促す指示を表示する。
【００４３】
一方、ステップ６０１の記録メディア判定において記録メディアが書き換え不可であると判定された場合には、ステップ６０５によって加速度判定を行う。ステップ６０５の加速度判定によって加速度が所定の数値B（B<Aとする）未満である場合にはステップ６０６のダビング処理（速度V2とする（V1<V2））を行い、B以上である場合にはステップ６０７のように加速度の低下を促す指示を表示する。
【００４４】
また、ステップ６０１で判定するメディア種類を例えばDVDやBDといった規格としてもよい。メディアがDVDである場合はステップ６０２に進み、BDである場合にはステップ６０５に進む。
【００４５】
本実施例によると、ダビング先の記録メディアにおける書き換え可否の判定に依って、加速度判定時の閾値を個別に設定することが可能である。よって、メディアが書き換え可能である場合には、万が一ダビングに失敗しても再度書き換えが可能であることから、書き換え不可である場合に比べて加速度判定の閾値を高くし、比較的振動の多い環境で高速にダビング処理を行うことが可能である。なお、このように加速度判定の閾値を高くした際は、ダビング速度を低速とすることで情報の損失を防ぐことができる。逆に、加速度判定の閾値を高くし、さらにダビング速度も速くすれば、情報の損失回避より処理時間の削減を優先したい場合に対応可能となる。
【００４６】
また、高密度で情報を記録するBDの場合は、振動等によりダビング失敗した際に失われる情報量がDVDと比較して多いため、BDやHD-DVD等の高密度記録媒体に記録する際には加速度判定の閾値を低くすることにより、例えば振動の比較的多い環境でも情報の損失を防ぐことが可能となる。さらに、閾値を低くすることに加えダビング速度も低速にすれば、処理時間の削減より情報の損失回避を優先したい場合に対応可能となる。
【００４７】
以上、複数の実施例を説明したが、それらを任意に組合せて実施できる。
【００４８】
また、ＤＶＤを例に挙げて説明したがＢＤやＨＤ−ＤＶＤなどの他の光ディスクであってもよく、またＨＤＤと光ディスク以外の記録媒体の組み合わせ、例えばＨＤＤと半導体メモリや内蔵半導体メモリとリムーバブル半導体メモリの組み合わせであってもよい。ただし、特にＨＤＤと光ディスクとの組み合わせでは外部振動による読み書きの影響が大きいため本実施例が有効と考えられる。
【図面の簡単な説明】
【００４９】
【図１】情報記録再生装置の構成例を示すブロック図である。
【図２】第一の実施例の処理例を示すフローチャートである。
【図３】第二の実施例の処理例を示すフローチャートである。
【図４】第三の実施例の処理例を示すフローチャートである。
【図５】第四の実施例の処理例を示すフローチャートである。
【図６】第五の実施例の処理例を示すフローチャートである。
【符号の説明】
【００５０】
１００：情報記録再生装置
【図１】
2009151860.tif 000003
【図２】
2009151860.tif 000004
【図３】
2009151860.tif 000005
【図４】
2009151860.tif 000006
【図５】
2009151860.tif 000007
【図６】
2009151860.tif 000008